(57)【要約】【課題】ユーザインタフェースを提供するナビゲーション情報を、ユーザに応じて選択的に利用できる放送受信装置を提供する。【解決手段】放送受信装置は、動画データと、動画データに合成して表示されるグラフィックスデータを含むナビゲーション情報から構成される複数のナビゲーション情報列とが多重化されて送信される放送データをトランスポートストリームとして受信する。受信したトランスポートストリームから動画データと、ナビゲーション情報とを抽出する。このとき、放送受信装置に適合した１のナビゲーション情報列から前記ナビゲーション情報を抽出して記憶する。放送受信装置は、抽出した動画データと前記記憶されているナビゲーション情報に含まれるグラフィックスデータとを合成して表示させる。【選択図】図１
2007129768.tif 000002
【特許請求の範囲】
【請求項１】
動画データと、動画データに合成して表示されるグラフィックスデータを含むナビゲーション情報から構成される複数のナビゲーション情報列とが多重化されて送信される放送データをトランスポートストリームとして受信する放送受信装置であって、
前記トランスポートストリームから動画データと、ナビゲーション情報とを抽出する抽出手段と、
抽出すべきナビゲーション情報列の種類を記憶している装置情報種類記憶手段と、
前記装置情報種類記憶手段の記憶内容に従い１のナビゲーション情報列から前記ナビゲーション情報を抽出するよう前記抽出手段を制御する抽出制御手段と、
前記抽出手段で抽出されたナビゲーション情報を記憶するナビゲーション情報記憶手段と、
前記抽出手段で抽出された動画データと前記ナビゲーション情報記憶手段に記憶されているナビゲーション情報に含まれるグラフィックスデータとを合成して表示させる再生制御手段とを備えることを特徴とする放送受信装置。
【請求項２】
請求項１記載の放送受信装置において、
前記ナビゲーション情報には、グラフィックスデータの表示位置を示す表示位置情報と、表示する時間域を示す時間情報とが含まれており、
前記再生制御手段は、動画データに表示位置情報に従いグラフィックスデータを合成し、時間情報に従い表示させる。
【請求項３】
動画データと、動画データに合成して表示されるグラフィックスデータを含むナビゲーション情報から構成される複数のナビゲーション情報列とが多重化されて送信される放送データをトランスポートストリームとして受信する放送受信装置であって、
前記トランスポートストリームから動画データと、ナビゲーション情報とを抽出する抽出手段と、
放送受信装置に適合した１のナビゲーション情報列から前記ナビゲーション情報を抽出するよう前記抽出手段を制御する抽出制御手段と、
前記抽出手段で抽出されたナビゲーション情報を記憶するナビゲーション情報記憶手段と、
前記抽出手段で抽出された動画データと前記ナビゲーション情報記憶手段に記憶されているナビゲーション情報に含まれるグラフィックスデータとを合成して表示させる再生制御手段と、
前記再生制御手段で合成された映像を表示させる表示画面の種類と前記ナビゲーション情報列の識別情報との対応関係を記憶する装置情報記憶手段を備え、
前記抽出制御手段は、再生制御手段から表示画面の種類の通知を受け、前記装置情報記憶手段に記憶されている複数のナビゲーション情報列のうち通知された表示画面の種類に対応するナビゲーション情報列の識別情報を取得して、前記抽出手段にナビゲーション情報の抽出条件を設定する抽出条件設定部を有することを特徴とする放送受信装置。
【請求項４】
請求項３記載の放送受信装置において、
前記表示画面の種類は、アスペクト比１６：９のワイド画面と、アスペクト比４：３のノーマル画面と、小型の液晶画面とであり、
前記ナビゲーション情報列のワイド画面に対応するナビゲーション情報には、
ワイド画面にノーマルサイズの画像を表示したときの左右の無表示領域を前記グラフィックスデータの表示位置とする表示位置情報が記載され、ノーマル画面に対応するナビゲーション情報には、ノーマル画面にワイドサイズの画像を表示し
たときの上下の無表示領域を前記グラフィックスデータの表示位置とする表示位置情報が記載され、小型の液晶画面に対応するナビゲーション情報には、液晶画面のほぼ全面に亘る表示領域を前記グラフィックスデータの表示位置とする表示位置情報が記載されており、
前記抽出制御手段は、
前記再生制御手段から前記動画データの画像がワイドサイズかノーマルサイズかの通知を受けるサイズ通知受付部と、
前記再生制御手段から通知された表示画面の種類と前記サイズ通知受付部で受け付けた画像のサイズとに従い、前記ナビゲーション情報に含まれるグラフィックスデータを表示位置情報に示される位置に表示するよう再生制御手段に指示する表示指示部とを有する。
【請求項５】
動画データと、動画データに合成して表示されるグラフィックスデータを含むナビゲーション情報から構成される複数のナビゲーション情報列とが多重化されて送信される放送データをトランスポートストリームとして受信する放送受信装置であって、
前記トランスポートストリームから動画データと、ナビゲーション情報とを抽出する抽出手段と、
放送受信装置に適合した１のナビゲーション情報列から前記ナビゲーション情報を抽出するよう前記抽出手段を制御する抽出制御手段と、
前記抽出手段で抽出されたナビゲーション情報を記憶するナビゲーション情報記憶手段と、
前記抽出手段で抽出された動画データと前記ナビゲーション情報記憶手段に記憶されているナビゲーション情報に含まれるグラフィックスデータとを合成して表示させる再生制御手段と、
ユーザの操作を受け付ける操作受付手段と、
公衆回線網と接続されたモデムと、
前記モデムの接続先の電話番号を記憶している装置情報記憶手段とを備え、
前記抽出制御手段は、
前記抽出手段で抽出された動画データが有料放送番組であって、前記操作受付手段においてユーザが視聴するとの操作を受け付けたとき、前記電話番号を読み出し、前記モデムで接続先に接続し、有料放送番組の視聴可・不可を問合せる問合せ部と、      
前記問合せ部が視聴可との通知を受けたときには、視聴可に対応するナビゲーション情報列に含まれるナビゲーション情報の抽出条件を前記抽出手段に設定する第１抽出条件設定部と、
前記問合せ部が視聴不可との通知を受けたときには、視聴不可に対応するナビゲーション情報列に含まれるナビゲーション情報の抽出条件を前記抽出手段に設定する第２抽出条件設定部とを有することを特徴とする放送受信装置。
【請求項６】
請求項５記載の放送受信装置は、
前記問合せ部は、視聴可との通知を受けたとき、併せて視聴可能時間の通知を受け、
前記抽出制御手段は、
前記視聴可能時間が経過したとき、前記第２抽出条件設定部を起動するタイマ部を有する。
【請求項７】
動画データと、動画データに合成して表示されるグラフィックスデータを含む複数のナビゲーション情報とが多重化されて送信される放送データをトランスポートストリームとして受信する放送受信装置であって、
ユーザの操作を受け付ける操作受付手段と、
前記トランスポートストリームから動画データと、ナビゲーション情報とを抽出する抽出手段と、
抽出すべきナビゲーション情報列の種類を記憶している装置情報種類記憶手段と、
前記操作受付手段で受け付けられたユーザの操作と装置情報記憶手段の情報とに応じて、前記複数のうちの２以上のナビゲーション情報を抽出するよう前記抽出手段を制御する抽出制御手段と、
前記抽出手段で抽出された２以上のナビゲーション情報を記憶するナビゲーション情報記憶手段と、
前記抽出手段で抽出された動画データと前記ナビゲーション情報記憶手段に記憶されている前記２以上のナビゲーション情報に含まれるグラフィックスデータとを合成して表示させる再生制御手段とを備えることを特徴とする放送受信装置。
【請求項８】
請求項７記載の放送受信装置において、
前記操作受付手段で受け付けられたユーザの操作は、ユーザの属性の入力であり、
前記複数のナビゲーション情報は、ユーザ属性に応じたグラフィックスデータを有するナビゲーション情報である。
【請求項９】
請求項８記載の放送受信装置は、更に、
公衆回線網と接続されたモデムと、
前記モデムの接続先の電話番号を記憶している装置情報記憶手段と、
前記再生制御手段により表示されたグラフィックスデータに対して前記操作受付手段で受け付けたユーザの操作に対応したデータを前記接続先にモデムを介して送信する送信手段とを備える。
【請求項１０】
動画データと、動画データに合成して表示されるグラフィックスデータを含むナビゲーション情報から構成される複数のナビゲーション情報列とが多重化されて送信される放送データをトランスポートストリームとして受信する放送受信装置に適用されるコンピュータ読み取り可能な記録媒体であって、
受信したトランスポートストリームから動画データとナビゲーション情報とを抽出する抽出ステップと、
抽出すべきナビゲーション情報列の種類を記憶している装置情報種類記憶部の記憶内容に従い、１のナビゲーション情報列から前記ナビゲーション情報を抽出するよう前記抽出ステップを制御する抽出制御ステップと、
前記抽出ステップで抽出された動画データと前記ナビゲーション情報記憶部に記憶されているナビゲーション情報に含まれるグラフィックスデータとを合成して表示させる再生制御ステップとを有するプログラムを記憶し、前記放送受信装置で実行されることを特徴とするコンピュータ読み取り可能な記録媒体。
【請求項１１】
動画データと、動画データに合成して表示されるグラフィックスデータを含む複数のナビゲーション情報とが多重化されて送信される放送データをトランスポートストリームとして受信し、前記トランスポートストリームから動画データと、ナビゲーション情報とを抽出する抽出部と、抽出すべきナビゲーション情報列の種類を記憶している装置情報種類記憶部と、前記抽出部で抽出された２以上のナビゲーション情報を記憶するナビゲーション情報記憶部とを有する放送受信装置に適用される記録媒体であって、
ユーザの操作がなされたか否かを判断する判断ステップと、
ユーザの操作と装置情報種類記憶部の情報とに応じて、前記複数のうちの２以上のナビゲーション情報を抽出するよう前記抽出部を制御する抽出制御ステップと、
前記ナビゲーション情報記憶部に記憶されている前記２以上のナビゲーション情報に含まれるグラフィックスデータを合成する合成ステップと、
前記合成ステップで合成されたグラフィックスデータと前記抽出部で抽出された動画データとを合成して表示させる合成表示ステップとの各ステップを有するプログラムを記録し、前記放送受信装置で実行されることを特徴とする記録媒体。
【請求項１２】
動画データと、動画データに合成して表示されるグラフィックスデータを含むナビゲーション情報から構成される複数のナビゲーション情報列とが多重化されて送信される放送データをトランスポートストリームとして受信する放送受信方法であって、
受信したトランスポートストリームから動画データとナビゲーション情報とを抽出する抽出ステップでと、
抽出すべきナビゲーション情報列の種類を記憶している装置情報種類記憶部の記憶内容に従い、１のナビゲーション情報列から前記ナビゲーション情報を抽出するよう前記抽出ステップを制御する抽出制御ステップと、
前記抽出ステップで抽出された動画データと前記ナビゲーション情報記憶部に記憶されているナビゲーション情報に含まれるグラフィックスデータとを合成して表示させる再生制御ステップとを有して実行することを特徴とする放送受信方法。
【発明の詳細な説明】
【技術分野】
【０００１】
本発明は、テレビ放送システムにおける放送受信装置のユーザインタフェース技術に関する。
【背景技術】
【０００２】
最近、衛星放送技術の発展はめざましく、特開平５−２８４５０６号公報に開示されている「衛星放送におけるマルチメディア・セレクタ」では、アナログ映像信号にユーザが選択可能なデジタルデータを重畳し、映像、音声、デジタルデータからなるマルチメディア情報を提供する技術が開示されている。これは、例えば、放送音声の各国語訳文字データをデジタルデータとして重畳し、ユーザの選択により放送映像に付加するものである。これにより、一方向性の情報メディアである衛星放送システムを、ユーザが必要に応じて選択しうる、すなわち、ユーザが選択可能なマルチメディア情報伝送システムとしてユーザインタフェースを与えることを可能としている。
【特許文献１】特開平５−２８４５０６号公報
【発明の開示】
【発明が解決しようとする課題】
【０００３】
しかしながら、上記従来の技術は、１つのビデオストリームに固定的なユーザインタフェース（デジタルデータ）を付加しただけであり、ユーザによって必ずしも最適なユーザインタフェースを提供できるものではない。また、固定的なユーザインタフェースしか送信していないため、放送番組提供者側もユーザ別に肌理細かなユーザインタフェースに変えて放送するなどの高度で効果的な放送を行うことができない。
【０００４】
本発明は、上記課題に鑑み、ユーザインタフェースを提供するナビゲーション情報を選択的に利用できる放送受信装置を提供することを目的としている。
【課題を解決するための手段】
【０００５】
上記課題を解決するため、本発明は、動画データと、動画データに合成して表示されるグラフィックスデータを含むナビゲーション情報から構成される複数のナビゲーション情報列とが多重化されて送信される放送データをトランスポートストリームとして受信する放送受信装置であって、 前記トランスポートストリームから動画データと、ナビゲーション情報とを抽出する抽出手段と、抽出すべきナビゲーション情報列の種類を記憶している装置情報種類記憶手段と、前記装置情報種類記憶手段の記憶内容に従い１のナビゲーション情報列から前記ナビゲーション情報を抽出するよう前記抽出手段を制御する抽出制御手段と、前記抽出手段で抽出されたナビゲーション情報を記憶するナビゲーション情報記憶手段と、前記抽出手段で抽出された動画データと前記ナビゲーション情報記憶手段に記憶されているナビゲーション情報に含まれるグラフィックスデータとを合成して表示させる再生制御手段とを備えることとしている。
【発明の効果】
【０００６】
このような構成によって、ユーザインタフェースを提供するナビゲーション情報を選択的に利用できる放送受信装置を得ることができる。 
また、前記ナビゲーション情報には、グラフィックスデータの表示位置を示す表示位置情報と、表示する時間域を示す時間情報とが含まれており、 前記再生制御手段は、動画データに表示位置情報に従いグラフィックスデータを合成し、時間情報に従い表示させることとしている。このような構成によって、映像内容に応じて適切な時間域に適切な表示位置に動画データにグラフィックスデータを重ねた映像でユーザインターフェースを実現できる。   
【０００７】
また、動画データと、動画データに合成して表示されるグラフィックスデータを含むナビゲーション情報から構成される複数のナビゲーション情報列とが多重化されて送信される放送データをトランスポートストリームとして受信する放送受信装置であって、 前記トランスポートストリームから動画データと、ナビゲーション情報とを抽出する抽出手段と、放送受信装置に適合した１のナビゲーション情報列から前記ナビゲーション情報を抽出するよう前記抽出手段を制御する抽出制御手段と、前記抽出手段で抽出されたナビゲーション情報を記憶するナビゲーション情報記憶手段と、 前記抽出手段で抽出された動画データと前記ナビゲーション情報記憶手段に記憶されているナビゲーション情報に含まれるグラフィックスデータとを合成して表示させる再生制御手段と、 ユーザ操作を受け付ける操作受付手段と、前記操作受付手段に対してユーザが操作する操作部材の種類と、前記ナビゲーション情報列の識別情報との対応関係を記憶する装置情報記憶手段とを備え、前記操作受付手段は、ユーザ操作を受け付ける際に当該ユーザが操作する操作部材の種類を特定する信号を受け付ける信号受付部を有し、前記抽出制御手段は、 複数のナビゲーション情報列のうち前記信号受付部で受け付けられた信号で特定される操作部材の種類に対応するナビゲーション情報列の識別情報を前記装置情報記憶手段から取得して、前記抽出手段にナビゲーション情報の抽出条件を設定する抽出条件設定部を有することとしている。このような構成によって、操作部材の種類によって、放送番組を視聴するユーザを想定し、ユーザに相応しいグラフィックスデータを含むナビゲーション情報を取得して、表示映像にユーザインタフェースを実現できる。
【０００８】
また、前記ナビゲーション情報列は、前記動画データの内容に対応した時間域に応じたナビゲーション情報の集合であり、前記時間域内で当該ナビゲーション情報が繰り返し多重化されており、前記抽出条件設定部は、前記時間域に応じたナビゲーション情報の抽出条件を設定することとしている。このような構成によって、映像内容に応じたユーザインタフェースを確実に実現できる。
【０００９】
また、前記操作部材の種類は、大人用リモートコントローラと子供用リモートコントローラであり、前記複数のナビゲーション情報列は、大人用のナビゲーション情報列と子供用のナビゲーション情報列とすることとしている。このような構成によって、大人には大人用のナビゲーション情報列に含まれるナビゲーション情報のグラフィックスデータが動画データの映像に重ねて表示され、子供には子供用のナビゲーション情報列に含まれるナビゲーション情報のグラフィックスデータが動画データの映像に重ねて表示されるので、最適なユーザインタフェースが実現できる。
【００１０】
また、動画データと、動画データに合成して表示されるグラフィックスデータを含むナビゲーション情報から構成される複数のナビゲーション情報列とが多重化されて送信される放送データをトランスポートストリームとして受信する放送受信装置であって、 前記トランスポートストリームから動画データと、ナビゲーション情報とを抽出する抽出手段と、放送受信装置に適合した１のナビゲーション情報列から前記ナビゲーション情報を抽出するよう前記抽出手段を制御する抽出制御手段と、前記抽出手段で抽出されたナビゲーション情報を記憶するナビゲーション情報記憶手段と、 前記抽出手段で抽出された動画データと前記ナビゲーション情報記憶手段に記憶されているナビゲーション情報に含まれるグラフィックスデータとを合成して表示させる再生制御手段と、 前記再生制御手段で合成された映像を表示させる表示画面の種類と前記ナビゲーション情報列の識別情報との対応関係を記憶する装置情報記憶手段を備え、 前記抽出制御手段は、再生制御手段から表示画面の種類の通知を受け、前記装置情報記憶手段に記憶されている複数のナビゲーション情報列のうち通知された表示画面の種類に対応するナビゲーション情報列の識別情報を取得して、前記抽出手段にナビゲーション情報の抽出条件を設定する抽出条件設定部を有することとしている。このような構成によって、放送受信装置の表示画面の種類に相応しいナビゲーション情報を抽出して、ユーザインタフェースを実現できる。
【００１１】
また、前記表示画面の種類は、アスペクト比１６：９のワイド画面と、アスペクト比４：３のノーマル画面と、小型の液晶画面とであり、前記ナビゲーション情報列のワイド画面に対応するナビゲーション情報には、ワイド画面にノーマルサイズの画像を表示したときの左右の無表示領域を前記グラフィックスデータの表示位置とする表示位置情報が記載され、ノーマル画面に対応するナビゲーション情報には、ノーマル画面にワイドサイズの画像を表示したときの上下の無表示領域を前記グラフィックスデータの表示位置とする表示位置情報が記載され、小型の液晶画面に対応するナビゲーション情報には、液晶画面のほぼ全面に亘る表示領域を前記グラフィックスデータの表示位置とする表示位置情報が記載されており、前記抽出制御手段は、前記再生制御手段から前記動画データの画像がワイドサイズかノーマルサイズかの通知を受けるサイズ通知受付部と、前記再生制御手段から通知された表示画面の種類と前記サイズ通知受付部で受け付けた画像のサイズとに従い、前記ナビゲーション情報に含まれるグラフィックスデータを表示位置情報に示される位置に表示するよう再生制御手段に指示する表示指示部とを有することとしている。 このような構成によって、表示画面がワイド画面のときには、画像サイズがノーマルサイズのときに左右の無表示領域にグラフィックスデータを表示させ、表示画面がノーマル画面のときには、画像サイズがワイドサイズのときに上下の無表示領域にグラフィックスデータを表示させ、表示画面が小型液晶画面のときには、表示画面のほぼ全面にグラフィックスデータを表示させ、表示機器に適合したユーザインタフェースを実現することができる。
【００１２】
また、動画データと、動画データに合成して表示されるグラフィックスデータを含むナビゲーション情報から構成される複数のナビゲーション情報列とが多重化されて送信される放送データをトランスポートストリームとして受信する放送受信装置であって、 前記トランスポートストリームから動画データと、ナビゲーション情報とを抽出する抽出手段と、放送受信装置に適合した１のナビゲーション情報列から前記ナビゲーション情報を抽出するよう前記抽出手段を制御する抽出制御手段と、
前記抽出手段で抽出されたナビゲーション情報を記憶するナビゲーション情報記憶手段と、 前記抽出手段で抽出された動画データと前記ナビゲーション情報記憶手段に記憶されているナビゲーション情報に含まれるグラフィックスデータとを合成して表示させる再生制御手段と、 ユーザの操作を受け付ける操作受付手段と、 公衆回線網と接続されたモデムと、 前記モデムの接続先の電話番号を記憶している装置情報記憶手段とを備え、 前記抽出制御手段は、 前記抽出手段で抽出された動画データが有料放送番組であって、前記操作受付手段においてユーザが視聴するとの操作を受け付けたとき、前記電話番号を読み出し、前記モデムで接続先に接続し、有料放送番組の視聴可・不可を問合せる問合せ部と、前記問合せ部が視聴可との通知を受けたときには、視聴可に対応するナビゲーション情報列に含まれるナビゲーション情報の抽出条件を前記抽出手段に設定する第１抽出条件設定部と、 前記問合せ部が視聴不可との通知を受けたときには、視聴不可に対応するナビゲーション情報列に含まれるナビゲーション情報の抽出条件を前記抽出手段に設定する第２抽出条件設定部とを有することとしている。このような構成によって、有料放送番組の視聴者であるユーザに、有料放送番組である旨と視聴が許可されるか否かの情報を適切に表示するユーザインタフェースを提供できる。
【００１３】
また、前記問合せ部は、視聴可との通知を受けたとき、併せて視聴可能時間の通知を受け、前記抽出制御手段は、前記視聴可能時間が経過したとき、前記第２抽出条件設定部を起動するタイマ部を有することとしている。このような構成によって、視聴可能時間が経過したときは、ユーザに視聴不可を容易に知らせることができる。
また、動画データと、動画データに合成して表示されるグラフィックスデータを
含む複数のナビゲーション情報とが多重化されて送信される放送データをトランスポートストリームとして受信する放送受信装置であって、 ユーザの操作を受け付ける操作受付手段と、 前記トランスポートストリームから動画データと、ナビゲーション情報とを抽出する抽出手段と、抽出すべきナビゲーション情報列の種類を記憶している装置情報種類記憶手段と、 前記操作受付手段で受け付けられたユーザの操作と装置情報記憶手段の情報とに応じて、前記複数のうちの２以上のナビゲーション情報を抽出するよう前記抽出手段を制御する抽出制御手段と、 前記抽出手段で抽出された２以上のナビゲーション情報を記憶するナビゲーション情報記憶手段と、前記抽出手段で抽出された動画データと前記ナビゲーション情報記憶手段に記憶されている前記２以上のナビゲーション情報に含まれるグラフィックスデータとを合成して表示させる再生制御手段とを備えることとしている。このような構成によって、複数のナビゲーション情報からユーザの操作に対応した必要な複数のナビゲーション情報だけを抽出し、抽出したナビゲーション情報のグラフィックスデータを動画データに合成して、ユーザインタフェースを実現できる。更に、送信されてくる全てのナビゲーション情報を抽出するのではなく、必要なナビゲーション情報だけを抽出して記憶するので、ナビゲーション情報を記憶する記憶資源の省資源化が図れる。
【００１４】
また、前記操作受付手段で受け付けられたユーザの操作は、ユーザの属性の入力であり、前記複数のナビゲーション情報は、ユーザ属性に応じたグラフィックスデータを有するナビゲーション情報としている。 このような構成によって、ユーザに相応しいナビゲーション情報だけを選択的に利用することが可能となる。
また、公衆回線網と接続されたモデムと、前記モデムの接続先の電話番号を記憶している装置情報記憶手段と、前記再生制御手段により表示されたグラフィックスデータに対して前記操作受付手段で受け付けたユーザの操作に対応したデータを前記接続先にモデムを介して送信する送信手段とを備えることとしている。このような構成によって、ユーザインタフェースな表示映像を活用して、例えばアンケート調査を実施することが可能となる。
【００１５】
また、動画データと、動画データに合成して表示されるグラフィックスデータを含むナビゲーション情報から構成される複数のナビゲーション情報列とが多重化されて送信される放送データをトランスポートストリームとして受信する放送受信装置に適用されるコンピュータ読み取り可能な記録媒体であって、受信したトランスポートストリームから動画データとナビゲーション情報とを抽出する抽出ステップと、抽出すべきナビゲーション情報列の種類を記憶している装置情報種類記憶部の記憶内容に従い、１のナビゲーション情報列から前記ナビゲーション情報を抽出するよう前記抽出ステップを制御する抽出制御ステップと、前記抽出ステップで抽出された動画データと前記ナビゲーション情報記憶部に記憶されているナビゲーション情報に含まれるグラフィックスデータとを合成して表示させる再生制御ステップとを有するプログラムを記憶し、前記放送受信装置で実行されることとしている。このような構成によって、ナビゲーション情報の選択機能を有しない放送受信装置でも、記録媒体を利用することによって、放送受信装置に適合したナビゲーション情報を選択的に用いて、ユーザインタフェースを実現できる。
【００１６】
また、動画データと、動画データに合成して表示されるグラフィックスデータを含む複数のナビゲーション情報とが多重化されて送信される放送データをトランスポートストリームとして受信し、前記トランスポートストリームから動画データと、ナビゲーション情報とを抽出する抽出部と、抽出すべきナビゲーション情報列の種類を記憶している装置情報種類記憶部と、前記抽出部で抽出された２以上のナビゲーション情報を記憶するナビゲーション情報記憶部とを有する放送受信装置に適用される記録媒体であって、 ユーザの操作がなされたか否かを判断する判断ステップと、 ユーザの操作と装置情報種類記憶部の情報とに応じて、前記複数のうちの２以上のナビゲーション情報を抽出するよう前記抽出部を制御する抽出制御ステップと、 前記ナビゲーション情報記憶部に記憶されている前記２以上のナビゲーション情報に含まれるグラフィックスデータを合成する合成ステップと、 前記合成ステップで合成されたグラフィックスデータと前記抽出部で抽出された動画データとを合成して表示させる合成表示ステップとの各ステップを有するプログラムを記録し、前記放送受信装置で実行されることとしている。このような構成によって、ユーザの操作に応じ複数のナビゲーション情報を選択的に利用できる機能を有しない放送受信装置においても、必要な複数のナビゲーション情報だけを抽出して、それに含まれるグラフィックスデータを合成してユーザインタフェースを実現できる。
【００１７】
更に、動画データと、動画データに合成して表示されるグラフィックスデータを含むナビゲーション情報から構成される複数のナビゲーション情報列とが多重化されて送信される放送データをトランスポートストリームとして受信する放送受信方法であって、受信したトランスポートストリームから動画データとナビゲーション情報とを抽出する抽出ステップと、抽出すべきナビゲーション情報列の種類を記憶している装置情報種類記憶部の記憶内容に従い、１のナビゲーション情報列から前記ナビゲーション情報を抽出するよう前記抽出ステップを制御する抽出制御ステップと、前記抽出ステップで抽出された動画データと前記ナビゲーション情報記憶部に記憶されているナビゲーション情報に含まれるグラフィックスデータとを合成して表示させる再生制御ステップとを有して実行することとしている。このような方法によって、ユーザインタフェースを提供するナビゲーション情報を選択的に利用できる放送受信方法を得ることができる。
【発明を実施するための最良の形態】
【００１８】
以下、本発明に係る放送受信装置の実施の形態を図面を用いて説明する。
（実施の形態１）
図１は、本発明に係る放送受信装置の実施の形態１の構成図である。
放送受信装置１０１は、受信部１０２と、ＴＳ(Transport Stream)デコーダ部１０３と、ＡＶデコーダ部１０４と、装置情報記憶部１０５と、ナビゲーション情報記憶部１０６と、信号受信部１０７と、受信制御部１０８と、再生制御部１０９と、表示部１１０と、音声出力部１１１とを備えており、放送装置（図示せず）から送信される放送データであるトランスポートストリームの中からユーザに応じたナビゲーション情報を利用して番組（イベント）を出力するよう構成されている。
【００１９】
なお、トランスポートストリームは、ＭＰＥＧ(Moving  Picture  ExpertsGroup2)システムにより、放送データを多重化したものであり、後述するようにビデオストリームとナビゲーション情報とを含んでいる。ナビゲーション情報は、ユーザインタフェースを実現するため、放送データの映像に重ねて表示されるグラフデータを含み、また、ユーザの操作に応じてインタラクティブ性を得ることができるようにスクリプト情報を含んでいる。
【００２０】
ＴＳデコーダ部１０３は、フィルタ条件記憶部１１２を有しており、信号受信部１０７は、外部装置であるリモートコントローラ（以下「リモコン」という）１１３、１１４からユーザの操作信号を受信する。
受信部１０２は、受信制御部１０８により指定されたトランスポートストリームを受信し、ＴＳデコーダ部１０３に出力する。
【００２１】
図２は、受信部１０２において、受信されるトランスポートストリームの内容を示す図である。
トランスポートストリーム２０１には、世界の旅行案内を示す動画データからなるビデオストリーム２０２と、このビデオストリーム２０２が再生されたときのユーザインタフェースとなる２つのナビゲーション情報列２０３、２０４とが含まれている。ビデオストリーム２０２とナビゲーション情報列２０３とで、又はビデオストリーム２０２とナビゲーション情報列２０４とで１つのイベントを構成する。
【００２２】
ナビゲーション情報列２０３は、子供向けユーザインタフェースであり、旅行案内のビデオストリーム２０２の再生映像に「クイズ」を重畳して表示するものである。ナビゲーション情報列２０４は、大人向けユーザインタフェースであり、旅行案内のビデオストリーム２０２の再生映像にその「詳細情報」を重畳して表示するものである。したがって、ナビゲーション情報列２０３、２０４は、その再生映像の場面に応じて、その内容を変化させている。
【００２３】
ナビゲーション情報列２０３では、ナビゲーション情報ＮＶＴ（０，０）、ＮＶＴ（０，１）、ＮＶＴ（０，２）の３つのバージョンがある。ナビゲーション情報列２０４では、ナビゲーション情報ＮＶＴ（１，０）、ＮＶＴ（１，１）、ＮＶＴ（１，２）、ＮＶＴ（１，３）、ＮＶＴ（１，４）の５つのバージョンがある。
それぞれのナビゲーション情報には、再生映像に重畳して表示されるグラフィックスデータ（ビットマップデータを含み、以下「グラフデータ」という）２０５と、そのグラフデータ２０５の表示位置や表示枠を指定する表示情報２０６と、各バージョンの表示有効時間を示す時間情報２０７と、ユーザの操作に応じた出力動作や表示動作を示すスクリプト情報２０８とが含まれている。例えば、ナビゲーション情報列２０３のバージョン番号「０」のナビゲーション情報ＮＶＴ（０，０）の有効時間は時間ｔ１から時間ｔ２までの間である。
【００２４】
ナビゲーション情報列２０３、２０４の各バージョンのナビゲーション情報のスクリプト情報２０８の内容を図３に示している。例えば、ナビゲーション情報列２０３のバージョン番号「１」のナビゲーション情報ＮＶＴ（０，１）では、ユーザが画面上でフォーカス状態とされている番号「２」のエジプトで「けってい」ボタンを押下したときには、「ピンポーン」との正解である旨の合成音が出力されることを示している。
【００２５】
ナビゲーション情報ＮＶＴ（１，Ｎ）では、変数Ｙ＝１のとき、「詳細情報」が表示されることが示されている。詳細情報の内容は、上述したグラフデータである。なお、ナビゲーション情報ＮＶＴ（０．Ｎ）では、表示動作のスクリプトが省略されている。
図４は、上述したトランスポートストリーム２０１が放送局から送信される状態を模式化して示した図である。ビデオストリーム２０２、ナビゲーション情報列２０３、２０４には、それぞれをＴＳデコーダ部１０３で分離するために用いられる識別情報が書き込まれている。
【００２６】
ビデオストリーム２０２には、ＭＰＥＧ２規格に定められた識別子ＰＩＤが書き込まれている。ナビゲーション情報列２０３、２０４には、ＭＰＥＧ２規格に定められたパケット識別子ＰＩＤと、テーブル識別拡張子table_id_extensionと、バージョン番号とが書き込まれている。
また、トランスポートストリーム２０１には再生時間を管理するためのＰＣＲ（基準クロック情報）４０１も多重化されている。ナビゲーション情報列２０３、２０４の各バージョンは、上述した表示有効時間の間、繰り返し送信されている。
【００２７】
また、トランスポートストリーム２０１には、この他にＭＰＥＧ２の規格やＤＶＢ(Digital  Video  Broadcasting)規格に定められたＰＭＴ等のシステム情報が多重化されているが、本発明の主題ではないので、その記載を省略する。なお、トランスポートストリームの多重化については、「総合マルチメディア選書ＭＰＥＧ」（テレビジョン学会編、オーム社、１９９４年）に記載されている。
【００２８】
ＴＳデコーダ部１０３は、受信制御部１０８によって設定されるフィルタ条件を記憶するフィルタ条件記憶部１１２を有し、このフィルタ条件に従って受信部１０２から出力されるトランスポートストリーム中から、ビデオストリームを分離してＡＶデコーダ部１０４に出力し、ナビゲーション情報を分離してナビゲーション情報記憶部１０６に書き込む。また、ＰＣＲ（基準クロック情報）を分離し、ＡＶデコーダ部１０４に出力する。
【００２９】
フィルタ条件記憶部１１２は、複数のフィルタ条件を記憶する。複数のフィルタ条件に対応してＴＳデコーダ部１０３は、複数の分離処理を並行して行う。
ＴＳデコーダ部１０３は、受信制御部１０８によって、ＰＩＤ「０×００９６」をフィルタ条件としてフィルタ条件記憶部１１２に設定されると、ビデオストリーム２０２を分離して、ＡＶデコーダ部１０４に出力する。
【００３０】
また、受信制御部１０８によって、フィルタ条件記憶部１１２にＰＩＤ「０×００９２」、table_id_extension「０×００００」を設定されると、ナビゲーション情報列２０３の現在、繰り返し送信されているいずれかのバージョンのナビゲーション情報ＮＶＴ（０，Ｎ）を分離して、ナビゲーション情報記憶部１０６に記憶させる。次に、ＰＩＤとtable_id_extensionを同一のまま、version_noを「０×０（ｎ＋１）」としたフィルタ条件をフィルタ条件記憶部１１２に設定されるとナビゲーション情報列２０３のバージョン番号（ｎ＋１）のナビゲーション情報ＮＶＴ（０，ｎ＋１）を分離して、ナビゲーション情報記憶部１０６に記憶させる。
【００３１】
また、受信制御部１０８によって、フィルタ条件記憶部１１２にＰＩＤ「０×００９３」、table_id_extension「０×０００１」を設定されると、ナビゲーション情報列２０４の現在、繰り返し送信されているいずれかのバージョンのナビゲーション情報ＮＶＴ（１，Ｎ）を分離して、ナビゲーション情報記憶部１０６に記憶させる。version_noを「０×０（ｎ＋１）」としたフィルタ条件を更に設定されると、上記と同様ナビゲーション情報列２０４のバージョン番号（ｎ＋１）のナビゲーション情報ＮＶＴ（１，ｎ＋１）を分離して、ナビゲーション情報記憶部１０６に記憶させる。
【００３２】
ＡＶデコーダ部１０４は、図示しないクロック部を有し、ＭＰＥＧ２規格に従って、ＴＳデコーダ部１０３から出力されたビデオストリーム２０２を同期をとりながら復号し、再生制御部１０９に出力する。クロック部は、ＴＳデコーダ部１０３から出力されるＰＣＲ（基準クロック情報）の値によって正しい基準時刻に設定され、ビデオストリーム２０２を正しく同期をとりながら復号するための基準となる時刻をカウントする。
【００３３】
装置情報記憶部１０５は、放送受信装置１０１の信号受信部１０７に対して、ユーザが操作する外部操作部材とナビゲーション情報列２０３、２０４との対応関係を記憶している。
図５は、外部操作部材の一例であるリモコン１１３、１１４の外観を示している。リモコン１１３は大人用リモコンであり、ボタン表示が漢字で表記されている。リモコン１１４は、子供用リモコンであり、ボタンの表示は、子供でも読めるように平仮名で表記されている。どちらのリモコン１１３、１１４にも電源キー５０３、画面表示キー５０４、「↑」キー５０５、「↓」キー５０６、「→」キー５０７、「←」キー５０８、「決定」キー５０９とが設けられている。
【００３４】
図６は、装置情報記憶部１０５に記憶されているナビゲーション情報列２０３、２０４とリモコン１１３、１１４との対応関係を示す図である。
リモコン１１３が操作されたとき、ナビゲーション情報列２０４が選択的にトランスポートストリームから分離され、リモコン１１４が操作されたとき、ナビゲーション情報列２０３が選択的に分離されることを示している。
【００３５】
信号受信部１０７は、ユーザのリモコン１１３又はリモコン１１４の操作信号を受信し、受信制御部１０８に出力する。例えば、放送局から送信されるトランスポートストリーム中の、イベントの選択信号を受信したとき、受信制御部１０８にその選択信号を出力する。この際、リモコン１１３又はリモコン１１４を識別する識別番号を同時に受信制御部１０８に通知する。また、後述するユーザの操作による↑信号、↓信号、決定信号を受信したとき、該信号を受信制御部１０８に出力する。リモコン１１３の「↑」、「↓」、「決定」の各キー５０５、５０６、５０９が利用者によって押下されると、リモコン１１３は該信号を信号受信部１０７に送信する。この「↑」、「↓」キー５０５、５０６は、表示部１１０に表示されている表示画像中の番号のフォーカス状態を１つ上の番号に又は１つ下の番号に切り替えるために操作され、「決定」キー５０９はそのフォーカス状態の番号やボタンを決定するために操作される。
【００３６】
受信制御部１０８は、ＣＰＵと、プログラムを格納したＲＯＭと、作業用のＲＡＭ等とから構成され、放送受信装置１０１の全般の制御に加えて、イベントの受信を制御する。
受信制御部１０８は、信号受信部１０７からユーザのイベント選択の信号を入力されると、ＴＳデコーダ部１０３のフィルタ条件記憶部１１２にビデオストリーム２０２のフィルタ条件としてＰＩＤ「０×００９６」を設定する。また、信号受信部１０７から、操作されたリモコンの識別番号の通知を受けると、装置情報記憶部１０５に記憶されているリモコンとナビゲーション情報列の対応関係を参照して、ナビゲーション情報のフィルタ条件をフィルタ条件記憶部１１２に設定する。
【００３７】
例えば、リモコン１１３がユーザによって操作されたときには、受信制御部１０８は、信号受信部１０７を介してリモコン１１３の識別番号「１」の通知を受け、対応するtable_id_extension「０×０００１」を装置情報記憶部１０５から読み出し、フィルタ条件記憶部１１２にＰＩＤ「０×００９３」、table_id_extension「０×０００１」をフィルタ条件として設定する。なお、table_id_extensionの値からＰＩＤを知るのは、説明を省略したシステム情報を参照してなされる。
【００３８】
また、ナビゲーション情報記憶部１０６に例えば、ナビゲーション情報ＮＶＴ（１，０）が記憶されているときには、その時間情報２０７を読み出し、ＡＶデコーダ部１０４のクロック部を参照して、表示有効時間の終了時間ｔ２に達したとき、フィルタ条件記憶部１１２にフィルタ条件のうちＰＩＤとtable_id_extensionをそのままの条件とし、version_noにナビゲーション情報列２０４の次のversion_no「０×０１」を設定する。
【００３９】
受信制御部１０８は、ナビゲーション情報列２０４のナビゲーション情報ＮＶＴ（１，０）がナビゲーション情報記憶部１０６に記憶されている場合に、「決定」信号を信号受信部１０７から受けると、変数Ｙに「１」を設定する。
ナビゲーション情報ＮＶＴ（１，１）、ＮＶＴ（１，２）、ＮＶＴ（１，３）、ＮＶＴ（１，４）とバージョンが変わったときには、スクリプト情報の表示動作に従い、再生制御部１０９に表示指示をする。
【００４０】
受信制御部１０８は、ナビゲーション情報記憶部１０６に記憶されているナビゲーション情報中のグラフデータ２０５と表示情報２０６とを読み出し、再生制御部１０９に通知する。
受信制御部１０８は、また、ナビゲーション情報列２０３のナビゲーション情報ＮＶＴ（０，１）又はナビゲーション情報ＮＶＴ（０，２）がナビゲーション情報記憶部１０６に記憶されている場合に、「けってい」信号の通知を信号受信部１０７から受けると、再生制御部１０９がフォーカス状態としている番号が「１」のイギリス又は「３」の日本であるときには、スクリプト情報に従い変数Ｘを「−１」とする。また、フォーカス状態としている番号が「２」のエジプトであるときは、変数Ｘを「１」とする。
【００４１】
次に、変数Ｘが「−１」であるときには「ブー」を、変数Ｘが「１」であるときには「ピンポーン」を出力するよう再生制御部１０９に通知する。この通知後、変数Ｘに「０」を設定する。
再生制御部１０９は、受信制御部１０８からの指示にしたがって、ＡＶデコーダ部１０４で復号された映像データと、受信制御部１０８から出力されるグラフデータとを合成して映像信号として表示部１１０に出力する。また、受信制御部１０８からのスクリプトの解釈に従い、合成音を合成して音声出力部１１１に出力する。この際、グラフデータは、ｊｕｓｈｉｎ制御部１０８から通知された表示画面上の表示枠の表示位置で、映像データの上に重ねられる。
【００４２】
表示部１１０は、ＣＲＴや液晶ディスプレイなどで実現され、再生制御部１０９から出力される映像を表示する。
音声出力部１１１は、スピーカなどで実現され、再生制御部１０９から出力される音声を出力する。
表示部１１０での具体的な表示動作について説明する。時間ｔ１と時間ｔ２との間で、ユーザがリモコン１１３を操作してトランスポートストリーム２０１のイベントを選択すると、ＴＳデコーダ部１０３は、ビデオストリーム２０２を分離してＡＶデコーダ部１０４に出力する。再生制御部１０９は、受信制御部１０８を介して大人向けユーザインタフェースのナビゲーション情報ＮＶＴ（１，０）のグラフデータと表示情報との通知を受けると、表示情報に示される表示位置にグラフデータを展開して表示枠に収めて、ＡＶデコーダ部１０４で復号された映像データに重畳して表示部１１０に出力する。この結果、表示部１１０の表示画面には、図７に示す映像が表示される。この際、再生制御部１０９は、グラフデータ「詳細情報」の表示領域をデフォルトでフォーカス状態とする。ここで、ユーザがリモコン１１３の「決定」キー５０９を押下すると、時間ｔ２となったとき、ナビゲーション情報ＮＶＴ（１，１）がＴＳデコーダ部１０３で分離され、ナビゲーション情報記憶部１０６に記憶される。これによって、表示部１１０の表示画面には、図８に示す映像が表示される。
【００４３】
また、ユーザが時間ｔ１と時間ｔ２との間に、リモコン１１４を用いて同様にイベントを選択したときには、図９に示す映像が表示部１１０の表示画面に表示される。また、ユーザが「決定」キーを押下すると、時間ｔ２になった後、表示部１１０の表示画面は、図１０に示すよう映像となる。ここで、再生制御部１０９は、番号「１」のイギリスをデフォルトでフォーカス状態の表示とさせている。ユーザがリモコン１１４の「↓」キー５０６を一度押下すると、再生制御部１０９は、受信制御部１０８を介して「↓」信号の通知を受け、番号「２」のエジプトにフォーカス状態を移動する。受信制御部１０８から「ピンポーン」の出力をするよう通知されると、合成音「ピンポーン」を音声出力部１１１に出力させる。
【００４４】
更に、時間ｔ５を過ぎると表示部１１０の表示画面は図１１に示すようになる。ここで、デフォルト状態で番号「１」の中国がフォーカス状態となっている。
ユーザがリモコン１１４の「けってい」キーを押下すると、音声出力部１１１から「ブー」という合成音が出力される。
次に、本実施の形態の動作を図１２のフローチャートを用いて説明する。
【００４５】
ユーザのイベントの選択操作によって、ＴＳデコーダ部１０３は、トランスポートストリーム中のビデオストリーム２０２を分離し、ユーザの操作したリモコンに応じたナビゲーション情報を分離してナビゲーション情報記憶部１０６に記憶させる（Ｓ１２０２）。次に、受信制御部１０８は、ユーザから操作信号が入力されたか否かを判定する（Ｓ１２０４）。入力がなければ、Ｓ１２１２に移る。入力があるときには、その入力が特定の信号、例えば、「決定」キー、「けってい」キー５０９，「↑」キー５０５、「↓」キー５０６等の「決定」信号、「↑」信号、「↓」信号等で、かつ前回の入力信号と比較して、リモコンの識別番号が変更されているか否かを判定する（Ｓ１２０６）。変更があれば、イベント（ナビゲーション情報）を切り替えて取得する（Ｓ１２０８）。変更がなければ、ナビゲーション情報中のスクリプト情報に従い、入力動作に応じて変数Ｘまたは、変数Ｙに所定の値を設定し（Ｓ１２１０）、Ｓ１２１２に移る。
【００４６】
Ｓ１２１２において、受信制御部１０８は、変数Ｙ＝１のときには、スクリプト情報の表示動作から表示内容をナビゲーション情報列２０４の「詳細情報」を表示させるように決定し、変数Ｘに「０」が設定されているときにはナビゲーション情報列２０３のグラフデータを表示させるようにする。
次に、再生制御部１０９は、ビデオストリームの映像データとナビゲーション情報に記録されているグラフデータとを合成し（Ｓ１２１４）、表示部１１０に表示させる。この際、変数Ｘの値が「１」又は「−１」であるときには、音声出力部１１１から所定の合成音を出力させ（Ｓ１２１６）、Ｓ１２０２に戻る。
【００４７】
本実施の形態では、外部操作部材の種類に応じて、放送受信装置がナビゲーション情報列を選択することができる。これによって外部操作部材を用いるユーザに応じて、複数用意されたナビゲーション情報列から１つのナビゲーション情報列を選択的に用いて、ユーザインタフェースを提供することができる。
なお、本実施の形態では、ユーザが操作するリモコンの種類に応じてナビゲーション情報を選択したけれども、ユーザを識別するためにユーザの声を入力し、その音声を判断してユーザに相応しいナビゲーション情報を選択できるようにしてもよい。
【００４８】
また、リモコンにナビゲーション情報の切り換えのためのボタンを設け、そのボタンの押下に応じて放送受信装置で選択するナビゲーション情報を変更するようにしてもよい。
更に、本実施の形態では、クイズ番組の正解は不正解を合成音を用いて応答したけれども、画面上に正解、不正解を表示するようにしてもよい。
（実施の形態２）
図１３は、本発明に係る放送受信装置の実施の形態２の構成図である。
【００４９】
放送受信装置１３０１は、受信部１０２と、ＴＳデコーダ部１０３と、ＡＶデコーダ部１０４と、装置情報記憶部１３０２と、ナビゲーション情報記憶部１０６と、信号受信部１０７と、再生制御部１３０３と、受信制御部１３０４と、表示部１３０５と、音声出力部１１１とを備えており、放送装置（図示せず）から送信されるトランスポートストリームの中から表示部１３０５に応じたナビゲーション情報を利用してイベントを出力するよう構成されている。ＴＳデコーダ部１０３は、フィルタ条件記憶部１１２を有しており、信号受信部１０７は、外部装置であるリモコン１１３からユーザの操作信号を受信する。
【００５０】
この放送受信装置１３０１は、上記実施の形態１の放送受信装置１０１とほぼ同様の構成部分を有するので、同一の構成部分については同一の符号を付してその説明を省略して、本実施の形態固有の部分についてのみ説明する。
図１４は、受信部１０２において、受信されるトランスポートストリームの内容を示す図である。
【００５１】
トランスポートストリーム１４０１には、映画「失われた世界」を示す動画データからなるビデオストリーム１４０２と、このビデオストリーム１４０２が再生されたときのユーザインタフェースとなる３つのナビゲーション情報ＮＶＴ（０）、ＮＶＴ（１）、ＮＶＴ（２）とが含まれている。ビデオストリーム１４０２とナビゲーション情報ＮＶＴ（０）とで、ビデオストリーム１４０２とナビゲーション情報ＮＶＴ（１）とで、又は、ビデオストリーム１４０２とナビゲーション情報ＮＶＴ（２）とで１つのイベントを構成する。
【００５２】
各ナビゲーション情報には、グラフデータ１４０３と、グラフデータの表示位置を示す表示情報１４０４と、スクリプト情報１４０５とが記載されている。ナビゲーション情報ＮＶＴ（０）は、表示部１３０５の表示画面がアスペクト比１６：９のワイド画面用のナビゲーション情報である。ナビゲーション情報ＮＶＴ（１）は、表示部１３０５の表示画面がアスペクト比４：３のノーマル画面用のナビゲーション情報である。ナビゲーション情報ＮＶＴ（２）は、表示部１３０５の表示画面が小型の液晶画面用のナビゲーション情報である。
【００５３】
各ナビゲーション情報ＮＶＴ（０）、ＮＶＴ（１）、ＮＶＴ（２）のスクリプト情報の内容を図１５に示している。表示部１３０５に表示されるグラフデータの合成動作と、表示動作とを示している。例えば、ナビゲーション情報ＮＶＴ（０）では、表示部１３０５で表示されるビデオストリーム１４０２の映像のアスペクト比が４：３（ノーマルサイズ）であるときは、グラフデータ１４０３を映像データに重畳的に合成し、時間ｔ１から時間ｔ５までの全時間に亘り表示することを示しており、映像のアスペクト比が１６：９（ワイドサイズ）であるときは、グラフデータ１４０３を映像データにアルファブレンディングにより半透明に合成し、時間ｔ１から時間ｔ５までに１０秒毎に１秒間で表示することを示している。
【００５４】
また、ワイドテレビでノーマルサイズの映像を表示させるとき、表示画面の左右に映像を表示しない部分（レターボックス）が生じる。ナビゲーション情報ＮＶＴ（０）の表示情報１４０４には、このレターボックスの範囲が表示位置として示されている。ナビゲーション情報ＮＶＴ（１）の表示情報１４０４には、ノーマルテレビでワイドサイズの映像を表示させるときに、表示画面の上下のレターボックスの範囲が表示位置として示されている。ナビゲーション情報ＮＶＴ（２）の表示情報１４０４には、小型の液晶画面のほぼ全域を表示位置として示している。これは、小型の液晶画面では、解像度が低く、小さな文字を表示したのでは、ユーザにとって見づらいからである。
【００５５】
図１６は、上述したトランスポートストリーム１４０１が放送局から送信される状態を模式化して示した図である。ナビゲーション情報ＮＶＴ（０）、ＮＶＴ（１）、ＮＶＴ（２）は、時間ｔ１と時間ｔ５との間繰り返し送信されている。
また、映画「失われた世界」のビデオストリームには、ＰＩＤ「０×００９５」が識別情報として書き込まれている。
【００５６】
ナビゲーション情報ＮＶＴ（０）には、ＰＩＤ「０×００９２」、table_id_extension「０×００００」が、ナビゲーション情報ＮＶＴ（１）には、ＰＩＤ「０×００９３」、table_id_extension「０×０００１」が、ナビゲーション情報ＮＶＴ（２）には、ＰＩＤ「０×００９４」、table_id_extension「０×０００２」がそれぞれ識別情報として書き込まれている。
【００５７】
装置情報記憶部１３０２には、表示部１３０５として用いられる表示画面とナビゲーション情報との対応関係が図１７に示すように記憶されている。ワイド画面はtable_id_extension「０×００００」のナビゲーション情報ＮＶＴ（０）と対応し、ノーマル画面はtable_id_extension「０×０００１」のナビゲーション情報ＮＶＴ（１）と対応し、小型液晶画面はtable_id_extension「０×０００２」のナビゲーション情報ＮＶＴ（２）と対応していることを示している。
【００５８】
再生制御部１３０３は、表示部１３０５として接続されている表示画面が、ワイド画面であるか、ノーマル画面であるか、それとも小型の液晶画面であるかを受信制御部１３０４に通知する。
また、再生制御部１３０３は、ＡＶデコーダ部１０４で復号されたビデオストリーム１４０２の映像データがワイドサイズであるかノーマルサイズであるかを受信制御部１３０４に通知する。
【００５９】
また、受信制御部１３０４からグラフデータと表示情報との通知と、グラフデータと映像データとの合成が重畳であるかアルファブレンディングかの通知と、表示時間の通知を受けると、ＡＶデコーダ部で復号された映像データに重畳又はアルファブレンディングによってグラフデータを表示情報に従い合成し、通知された表示時間となるようにＡＶデコーダ部１０４のクロック部を参照して表示部１３０５に表示させる。
【００６０】
受信制御部１３０４は、再生制御部１３０３から表示部１３０５として接続されている表示画面がワイド画面かノーマル画面か小型液晶画面かの通知を受けると、装置情報記憶部１３０２に記憶されている対応するナビゲーション情報のテーブル識別拡張子を読み出し、図示しないシステム情報を参照して、ＴＳデコーダ部１０３のフィルタ条件記憶部１１２にナビゲーション情報のフィルタ条件を設定する。
【００６１】
また、受信制御部１３０４は、再生制御部１３０３から復号されたビデオストリーム１４０２の映像のアスペクト比が通知されると、ナビゲーション情報記憶部１０６に記憶されているナビゲーション情報を読み出す。次に、スクリプト情報に従い、グラフデータと表示情報と、合成が重畳であるかアルファブレンディングであるかと、表示時間とを再生制御部１３０３に通知する。
【００６２】
表示部１３０５は、ワイド画面のワイドテレビやノーマル画面のノーマルテレビや小型液晶画面の小型液晶テレビで実現される。
次に表示部１３０５での映像表示の具体例について説明する。
図１８は、表示部１３０５がワイド画面である場合の時間ｔ１と時間ｔ２との間の表示部１３０５の表示画面を示している。この際、ナビゲーション情報記憶部１０６には、ナビゲーション情報ＮＶＴ（０）が記憶されている。ワイド画面のレターボックス１８０１にナビゲーション情報ＮＶＴ（０）のグラフデータ１４０３が表示されている。時間ｔ２から時間ｔ５では、図１４に矢線Ｔで示したようにワイドサイズの映像送信時間となるので、表示部１３０５の表示画面は、図１９に示すようになる。なお、主映像である動画は時々変化しており、図中網掛け表示としたグラフデータは、半透明であることを示している。また、このグラフデータは、時間ｔ２から時間ｔ５との間に、１０秒毎に１秒間の割合で表示される。
【００６３】
このように、半透明とすることによって、映像がグラフデータで全て覆われることを防止している。また、表示時間を全時間に亘らずに、一部の時間とすることで、映像の視聴の妨げとなることを防止し、かつ有用な情報を表示することができる。
表示部１３０５がノーマル画面である場合には、ナビゲーション情報記憶部１０６には、ナビゲーション情報ＮＶＴ（１）が記憶されている。図２０は、時間ｔ１と時間ｔ２との間のある瞬間の表示画面を示している。映画「失われた世界」のタイトルの映像にグラフデータが半透明で表示されている。このグラフデータは、１０秒毎に１秒間で表示される。次に時間ｔ２を過ぎると、図１４に矢線Ｔで示したようにワイドサイズの映像送信時間となるので、ノーマル画面の上下に図２１に示すようなレターボックス２１０１，２１０２が生じる。この上部のレターボックス２１０１にグラフデータが重畳される。
【００６４】
また、表示部１３０５に小型の液晶画面が用いられているときには、ナビゲーション情報記憶部１０６には、ナビゲーション情報ＮＶＴ（２）が記憶されている。時間ｔ２を過ぎたところで、ビデオストリーム１４０２が選択されたときには、表示部１３０５に最初の３秒間、図２２に示すようなグラフデータを表示した表示画面が表示される。小型液晶画面では、小さな文字等は見づらいので、画面のほぼ全域にグラフデータを表示することとして、ユーザに見やすいようにしている。また、表示時間を最初の一定時間だけとして、映像の視聴の妨げとなることを防止している。
【００６５】
次に、本実施の形態の動作を図２３に示すフローチャートを用いて説明する。
先ず、受信制御部１３０４は、信号受信部１０７を介してユーザからのビデオストリームの選択が有か否かを判定し（Ｓ２３０２）、ビデオストリームの選択を待って、ＴＳデコーダ部１０３のフィルタ条件記憶部１１２にそのフィルタ条件を設定する。次に、表示部１３０５に用いられている表示画面がワイドであるか（Ｓ２３０４）、ノーマルであるか（Ｓ２３０６）の判定を再生制御部１３０３からの通知を受けて行う。
【００６６】
次に、装置情報記憶部１３０２の記憶内容を参照して、ワイド画面のときには、ナビゲーション情報ＮＶＴ（０）を取得するためのフィルタ条件を設定し（Ｓ２３０８）、ノーマル画面のときには、ナビゲーション情報ＮＶＴ（１）を取得するためのフィルタ条件を設定し（Ｓ２３１０）、その他のときには、小型液晶画面であると判定して、ナビゲーション情報ＮＶＴ（２）を取得するためのフィルタ条件を設定する（Ｓ２３１２）。
【００６７】
受信制御部１３０４は、ナビゲーション情報ＮＶＴ（０）を取得すると、再生制御部１３０３からの通知を受け、復号された映像のアスペクト比が４：３（ノーマルサイズ）か１６：９（ワイドサイズ）かを判定する（Ｓ２３１４）。ノーマルサイズのときには、グラフデータを映像データに重畳して合成するよう再生制御部１３０３に指示するとともに、グラフデータと表示情報とを通知する（Ｓ２３１６）。更に、再生制御部１３０３に全時間表示指示を与えて（Ｓ２３１８）、Ｓ２３０２に戻る。
【００６８】
Ｓ２３１４において、ノーマルサイズではないと判定したときは、再生制御部１３０３にグラフデータを映像データにアルファブレンディングするよう指示するとともに、グラフデータと表示情報とを通知する（Ｓ２３２０）。更に、再生制御部１３０３に１０秒毎に１秒間表示するよう指示し（Ｓ２３２２）、Ｓ２３０２に戻る。
また、受信制御部１３０４は、ナビゲーション情報ＮＶＴ（１）を取得したときには、映像がノーマルサイズかワイドサイズかを判定し（Ｓ２３２４）、ノーマルサイズであれば、Ｓ２３２０、Ｓ２３２２を実行し、ワイドサイズであればＳ２３１６、Ｓ２３１８を実行してＳ２３０２に戻る。
【００６９】
ナビゲーション情報ＮＶＴ（２）を取得したときには、再生制御部１３０３にグラフデータを映像データにアルファブレンディングするよう指示するとともに、グラフデータと表示情報とを通知する（Ｓ２３２６）。次に、表示時間を３秒間である旨指示して（Ｓ２３２８）、Ｓ２３０２に戻る。
以上のように、本実施の形態によれば、表示部１３０５の表示画面の種類に応じて、ユーザが見やすいグラフデータを表示できるユーザインタフェースなナビゲーション情報を選択することができる。
【００７０】
なお、本実施の形態では、表示部１３０５での映像を見やすいようにグラフデータの表示を一定時間の表示としたけれども、例えば、リモコン１１３のユーザの「画面表示」キー５０４の押下によってグラフデータを表示させるようにしてもよい。
また、文字放送のように、グラフデータを画面にスクロール表示させてもよい。
更に、グラフデータを見やすくするために、表示部１３０５での映像を圧縮表示（例えば、上下方向に動画データを圧縮表示して、上下の余白部分にグラフデータを表示する）してもよい。
（実施の形態３）
図２４は、本発明に係る放送受信装置の実施の形態３の構成図である。
【００７１】
放送受信装置２４０１は、受信部１０２と、ＴＳデコーダ部１０３と、ＡＶデコーダ部１０４と、装置情報記憶部２４０２と、ナビゲーション情報記憶部１０６と、信号受信部１０７と、再生制御部１０９と、受信制御部２４０４と、表示部１１０と、音声出力部１１１と、モデム２４０３とを備えており、放送装置（図示せず）から送信されるトランスポートストリームの中から放送受信装置２４０１の状態に応じたナビゲーション情報を利用してイベントを出力するよう構成されている。ＴＳデコーダ部１０３は、フィルタ条件記憶部１１２を有しており、信号受信部１０７は、外部装置であるリモコン１１３からユーザの操作信号を受信する。また、モデム２４０３は、公衆回線網２４０５を介して有料番組提供者の視聴許不可問合せセンター（図示せず）と接続される。
【００７２】
この放送受信装置２４０１は、上記実施の形態１の放送受信装置１０１とほぼ同様の構成部分を有するので、同一の構成部分については同一の符号を付してその説明を省略し、本実施の形態固有の部分についてのみ説明する。
図２５は、受信部１０２において、受信されるトランスポートストリームの内容を示す図である。
【００７３】
トランスポートストリーム２５０１には、有料放送番組である映画「失われた世界」を示す動画データからなるビデオストリーム２５０２と、このビデオストリーム２５０２が再生されたときのユーザインタフェースとなる３つのナビゲーション情報列２５０３、２５０４、２５０５とが含まれている。ビデオストリーム２５０２とナビゲーション情報列２５０３とで、ビデオストリーム２５０２とナビゲーション情報列２５０４とで、又は、ビデオストリーム２５０２とナビゲーション情報列２５０５とで１つのイベントを構成する。
【００７４】
ナビゲーション情報列２５０３は、ナビゲーション情報ＮＶＴ（０，０）とナビゲーション情報ＮＶＴ（０，１）とからなり、有料放送番組の映画「失われた世界」のビデオストリームが選択されたとき、最初に取得されるナビゲーション情報列である。
また、ナビゲーション情報列２５０４は、有料放送番組の視聴可能なユーザに対して取得されるナビゲーション情報列であり、ナビゲーション情報ＮＶＴ（１，０）とナビゲーション情報ＮＶＴ（１，１）とからなる。
【００７５】
ナビゲーション情報列２５０５は、有料放送番組の視聴不可能なユーザに対して取得されるナビゲーション情報列であり、ナビゲーション情報ＮＶＴ（２，０）からなる。各ナビゲーション情報は、グラフデータ２５０６と、表示情報（図示せず）と時間情報（図示せず）とスクリプト情報（２５０７）とを含んでいる。
各ナビゲーション情報に含まれるスクリプト情報の内容を図２６に示している。この各スクリプト情報に従い、受信制御部２４０４は、再生制御部１０９に指示を与えたり、ＴＳデコーダ部１０３に新たなナビゲーション情報のフィルタ条件を設定したり、モデム２４０３を介して有料番組提供者の視聴許不可問合せセンターと電話回線で接続したりする。
【００７６】
なお、トランスポートストリーム２５０１は、図４や図１６に示したとほぼ同様に表されるでその説明は省略する。
装置情報記憶部２４０２は、図２７に示すように、有料番組のビデオストリーム２５０２がＴＳデコーダ部１０３で分離されたときに、最初に分離すべきナビゲーション情報を示すエントリナビゲーション情報と、有料番組の視聴が可能か不可能かを問合わせるための電話番号とを記憶している。
【００７７】
モデム２４０３は、公衆回線網２４０５と接続されており、受信制御部２４０４によって有料番組提供者の視聴許不可問合せセンターと放送受信装置２４０１とを接続する。
受信制御部２４０４は、ユーザによって有料番組である映画「失われた世界」のビデオストリーム２５０２が選択されると、ＴＳデコーダ部１０３のフィルタ条件記憶部１１２にビデオストリーム２５０２の識別情報をフィルタ条件として設定する。次に、装置情報記憶部２４０２のエントリナビゲーション情報を読み出し、ナビゲーション情報ＮＶＴ（０，Ｎ）を取得するようにＴＳデコーダ部１０３のフィルタ条件記憶部１１２にナビゲーション情報ＮＶＴ（０，０）またはナビゲーション情報ＮＶＴ（０，１）の識別情報をフィルタ条件として設定する。
【００７８】
ナビゲーション情報記憶部１０６に記憶されているナビゲーション情報ＮＶＴ（０，０）またはナビゲーション情報（０，１）のスクリプト情報を読み出し、変数Ｘに初期値「２」を設定し、再生制御部１０９にグラフデータと表示情報と時間情報とを通知し、ＡＶデコーダ部１０４で復号された映像データに重畳するよう指示する。
次に、信号受信部１０７を介してユーザから「有料番組」の選択決定の信号を受信すると変数Ｘに「０」を設定する。
【００７９】
受信制御部２４０４は、変数Ｘに「０」を設定すると、装置情報記憶部２４０２に記憶されている視聴許不可問合せセンターの電話番号を読み出し、モデム２４０３を介して回線を接続する。放送受信装置２４０１自身の識別情報を通知し、有料番組の視聴が許可されるか否かを問合わせる。即ち、有料番組視聴のための料金が納付されているときには、視聴許不可問合せセンターから視聴許可信号とともに、何時間の視聴が可能であるかの視聴許可時間が通知される。料金が納付されていないときには、視聴不可信号が通知される。
【００８０】
受信制御部２４０４は、視聴許可信号を通知されると、変数Ｘに「１」を設定する。視聴不可信号を通知されると変数Ｘに「−１」を設定する。
変数Ｘが「１」のときには、ナビゲーション情報ＮＶＴ（１，０）またはナビゲーション情報ＮＶＴ（１，１）を取得するようフィルタ条件記憶部１１２にフィルタ条件を設定する。なお、時間ｔ１から時間ｔ２の間のときはナビゲーション情報ＮＶＴ（１，０）を、時間ｔ２を過ぎるときは、ナビゲーション情報ＮＶＴ（１，１）が取得される。
【００８１】
変数Ｘが「−１」のときには、ナビゲーション情報ＮＶＴ（２，０）を取得するようフィルタ条件記憶部１１２にフィルタ条件を設定する。
受信制御部２４０４は、新たなナビゲーション情報がナビゲーション情報記憶部１０６に記憶されると、そのスクリプト情報に従い、再生制御部１０９に指示を与える。ナビゲーション情報ＮＶＴ（１，０）が記憶されている場合に、変数Ｘが「１」のときには、グラフデータと表示情報と時間情報とを再生制御部１０９に通知し、併せて、グラフデータを映像データに重畳して合成し、表示させるよう指示する。ナビゲーション情報ＮＶＴ（１，１）が記憶されている場合に、Ｘ＝１のときには、グラフデータと表示情報とを再生制御部１０９に通知し、併せて、グラフデータを映像データに重畳して合成し、２秒間表示するように指示する。更に、受信制御部２４０４は、時限タイマーを起動させ、視聴許不可問合せセンターから通知された視聴許可時間に達するまで、有料番組の再生を続行させる。時限タイマーが、この視聴許可時間に到達すると、変数Ｘに「−１」を設定し、ナビゲーション情報ＮＶＴ（２，０）を取得するためにフィルタ条件記憶部１１２にフィルタ条件を設定する。
【００８２】
ナビゲーション情報記憶部１０６にナビゲーション情報ＮＶＴ（２，０）が記憶されている場合に、変数Ｘが「−１」のときには、グラフデータと表示情報と時間情報とを再生制御部１０９に通知し、併せてグラフデータを映像データに重畳して合成し、表示するよう指示する。
例えば、時間ｔ１と時間ｔ２との間で、映像「失われた世界」のビデオストリームが選択されたとき、表示部１１０には、図２８に示すように映像が表示される。
【００８３】
次に、この有料番組を視聴するため、ユーザが選択決定操作を行うと、有料番組を視聴できるユーザであれば、時間ｔ２を経過した後のある瞬間の表示部１１０には、図２９に示すように映像が表示される。有料番組を視聴できない、料金が納付されていないユーザであれば、表示部１１０には、図３０に示すように映像が表示される。
次に、本実施の形態の動作を図３１に示すフローチャートを用いて説明する。
【００８４】
先ず、ユーザがビデオストリームを選択する（Ｓ３１０２）。このビデオストリームが有料番組であれば、ユーザの選択決定を待つ（Ｓ３１０４）。ユーザが選択決定するまでは、受信制御部２４０４は、最初に映像データに付加するエントリナビゲーション情報ＮＶＴ（０，０）又はエントリナビゲーション情報ＮＶＴ（０，１）を取得するためフィルタ条件を設定し、取得する（Ｓ３１０６）。
取得したナビゲーション情報のグラフデータを映像データに合成して表示するよう再生制御部１０９に指示し（Ｓ３１０８）、ユーザの選択決定を待つ。
【００８５】
有料番組がユーザによって選択決定されたときには、受信制御部２４０４は、モデム２４０３を介して公衆回線網２４０５に接続された視聴許不可問合せセンターに自身の放送受信装置２４０１が有料番組の視聴が許可されるか否かを問合せ（Ｓ３１１０）、不可のときはＳ３１２０に移る。
視聴が許可されたときには、受信制御部２４０４は、ナビゲーション情報ＮＶＴ（１，０）又はナビゲーション情報ＮＶＴ（１，１）を取得するため、フィルタ条件を設定する（Ｓ３１１２）。
【００８６】
受信制御部２４０４は、ナビゲーション情報を取得するとグラフデータと映像データとの合成を再生制御部１０９に指示する（Ｓ３１１４）。ナビゲーション情報ＮＶＴ（１，０）では有効時間の間、ナビゲーション情報ＮＶＴ（１，１）では一定時間の表示指示をするとともに、ナビゲーション情報ＮＶＴ（１，１）の表示指示をしたときには時限タイマーを起動する（Ｓ３１１６）。
【００８７】
視聴許可時間が経過するまで有料番組の再生を続け（Ｓ３１１８）、視聴許可時間が経過すると、ナビゲーション情報ＮＶＴ（２，０）を取得するため、フィルタ条件を設定する（Ｓ３１２０）。ナビゲーション情報ＮＶＴ（２，０）のグラフデータと映像データとの合成指示と表示指示とを再生制御部１０９にして（Ｓ３１２２）、処理を終了する。
以上のように本実施の形態では、有料番組の放送を視聴可能か否かを視聴許不可問合せセンターに問合せ、許可又は不可によって取得するナビゲーション情報を変え、ユーザに有料番組の視聴できること又は視聴できないことを容易に知らせることができる。
【００８８】
なお、本実施の形態では、公衆回線網２４０５を介して、有料放送番組が視聴できるか否かを問合せることとしたけれども、有料放送番組を視聴することを許可された識別カードや予め視聴料を払い込み交付されたプリペードカードを放送受信装置に設けられた読み取り部に挿入することで、視聴可・不可を判断できるようにしてもよい。
（実施の形態４）
図３２は、本発明に係る放送受信装置の実施の形態４の構成図である。
【００８９】
放送受信装置３２０１は、受信部１０２と、ＴＳデコーダ部１０３と、ＡＶデコーダ部１０４と、装置情報記憶部３２０２と、ナビゲーション情報記憶部３２０３と、信号受信部１０７と、再生制御部３２０４と、受信制御部３２０５と、表示部１１０と、音声出力部１１１と、モデム３２０６とを備えており、放送装置（図示せず）から送信されるトランスポートストリームの中から放送受信装置３２０１を視聴するユーザに応じたナビゲーション情報を利用してイベントを出力するよう構成されている。ＴＳデコーダ部１０３は、フィルタ条件記憶部１１２を有しており、信号受信部１０７は、外部装置であるリモコン１１３からユーザの操作信号を受信する。また、モデム３２０６は、公衆回線網３２０７を介して放送局（図示せず）と接続される。
【００９０】
この放送受信装置３２０１は、上記実施の形態１の放送受信装置１０１とほぼ同様の構成部分を有するので、同一の構成部分については同一の符号を付してその説明を省略し、本実施の形態固有の部分についてのみ説明する。
図３３は、受信部１０２において、受信されるトランスポートストリームの内容を示す図である。
【００９１】
トランスポートストリーム３３０１には、アンケート番組の背景映像となる動画データからなるビデオストリーム３３０２と、アンケート番組の問題となるグラフデータを含む７つのナビゲーション情報列３３０３〜３３０９とが含まれている。
ナビゲーション情報列３３０３は、このアンケート番組が選択決定されたとき、最初に取得されるナビゲーション情報ＮＶＴ（０，０）と、時間ｔ２から時間ｔ６までの間が表示有効時間となるナビゲーション情報ＮＶＴ（０，１）と、時間ｔ６以降に表示有効時間となるナビゲーション情報ＮＶＴ（０，２）とからなる。
【００９２】
ナビゲーション情報列３３０４〜３３０９は、それぞれ、ナビゲーション情報ＮＶＴ（１）〜ＮＶＴ（６）からなる。
ナビゲーション情報ＮＶＴ（０，０）は、時間ｔ１から時間ｔ２までの間繰り返し送信されている。ナビゲーション情報ＮＶＴ（０，１）、ＮＶＴ（１）〜ＮＶＴ（６）は時間ｔ２から時間ｔ６までの間繰り返し送信されている。ナビゲーション情報ＮＶＴ（０，２）は、時間ｔ６以降繰り返し送信されている。
【００９３】
ナビゲーション情報ＮＶＴ（０，０）、ＮＶＴ（０，１）、ＮＶＴ（０，２）のグラフデータは、図３３に示す通りである。ナビゲーション情報ＮＶＴ（０，０）のグラフデータは、放送受信装置３２０１がアンケート問題を選択するために、ユーザにユーザ属性をリモコン１１３を用いて入力操作させるために背景映像に重畳して表示される。ナビゲーション情報ＮＶＴ（０，１）のグラフデータは、ナビゲーション情報ＮＶＴ（１）〜ＮＶＴ（６）のうち選択されたナビゲーション情報のグラフデータとともに合成され、背景映像に重畳して表示される。
ナビゲーション情報ＮＶＴ（０，２）のグラフデータは、放送受信装置３２０１がアンケート結果を「送信中」である旨をユーザに知らせるため、背景映像に重畳して表示される。
【００９４】
ナビゲーション情報ＮＶＴ（１）〜ＮＶＴ（６）の各グラフデータの詳細は図３４に示している。ナビゲーション情報ＮＶＴ（１）は男性用の問１であり、ナビゲーション情報ＮＶＴ（２）は女性用の問１であり、ナビゲーション情報ＮＶＴ（３）は大人用の問２であり、ナビゲーション情報ＮＶＴ（４）は子供用の問２であり、ナビゲーション情報ＮＶＴ（５）は関東用の問３であり、ナビゲーション情報ＮＶＴ（６）は関西用の問３である。これらの問に答えるための解答用の「はい」、「いいえ」がそれぞれ番号とともに記載されている。
【００９５】
なお、ナビゲーション情報には、グラフデータに加えて、表示情報と時間情報とが記載されているけれども省略されている。
ナビゲーション情報ＮＶＴ（０，０）、ＮＶＴ（０，１）、ＮＶＴ（０，２）には、図３５に示すスクリプト情報が記載されている。ユーザのリモコン１１３の操作によるユーザの属性の入力によって、ナビゲーション情報ＮＶＴ（１）〜ＮＶＴ（６）を選択したり、アンケートの回答結果を放送局へ通知するためである。
【００９６】
ナビゲーション情報ＮＶＴ（０，０）のスクリプト情報では、ユーザの属性を「性別」、「年齢」、「住所」で区別している。リモコン１１３の所定のキー入力で男性であるとの入力操作があったときには、後述する受信制御部３２０５によって変数Ｘに「１」が設定される。女性であるとの入力操作があったときには変数Ｘに「２」が設定される。また、未成年であるとの入力操作によって、変数Ｙに「３」が設定され、成年では変数Ｙに「４」が設定される。住所が関東では変数Ｚに「５」が設定され、関西では変数Ｚに「６」が設定される。
【００９７】
この変数Ｘの値は、ナビゲーション情報ＮＶＴ（１）とナビゲーション情報Ｎ
ＶＴ（２）のいずれかを選択するための値である。同様に、変数Ｙの値はナビゲ
ーション情報ＮＶＴ（３）、ＮＶＴ（４）のいずれかを選択するための値であり
、変数Ｚの値はナビゲーション情報ＮＶＴ（５）、ＮＶＴ（６）のいずれかを選
択するための値である。
【００９８】
また、変数Ａ１、Ａ２、Ａ３に初期値「０」が受信制御部３２０５によって設
定される。この変数Ａ１、Ａ２、Ａ３は、アンケート問題の解答結果によって、
後に「１」又は「２」が設定される。
ナビゲーション情報ＮＶＴ（０，１）のスクリプト情報では、ナビゲーション
情報ＮＶＴ（０，１）、ＮＶＴ（Ｘ）、ＮＶＴ（Ｙ）、ＮＶＴ（Ｚ）の４つのグ
ラフデータを合成して表示する表示動作と、ユーザのリモコン１１３の操作を受
けて、変数Ａ１、Ａ２、Ａ３に「１」または「２」を設定する入力動作とが規定
されている。
【００９９】
ユーザがアンケートの問題に答えて、例えば、問１で「１はい」を決定操作す
ると変数Ａ１に「１」が受信制御部３２０５によって設定される。変数Ａ２、Ａ
３についても同様である。
ナビゲーション情報ＮＶＴ（０，２）のスクリプト情報では、時間ｔ１から時
間ｔ６の間にユーザから入力された操作に応じた変数Ｘ、Ｙ、Ｚ、Ａ１、Ａ２、
Ａ３の各値が放送局に送信されることが規定されている。
【０１００】
装置情報記憶部３２０２は、アンケート番組のビデオストリーム３３０２が選
択決定されて、トランスポートストリーム３３０１から分離されたときに、最初
に取得すべきナビゲーション情報ＮＶＴ（０，０）の識別情報をエントリナビゲ
ーション情報として記憶している。更に、ナビゲーション情報ＮＶＴ（０，１）
、（０，２）を取得するための識別情報を記憶している。また、放送局の電話番
号を記憶している。
【０１０１】
ナビゲーション情報記憶部３２０３は、ＴＳデコーダ部１０３で分離されたナ
ビゲーション情報を記憶している。上述した実施の形態１〜実施の形態３と異な
り、複数のナビゲーション情報が同時に記憶されている。
再生制御部３２０４は、受信制御部３２０５からグラフデータと表示情報と時
間情報との通知とともに、合成指示と表示指示との通知を受けると、ＡＶデコー
ダ部１０４で復号された映像データにグラフデータを合成し、表示部１１０にそ
の表示有効時間の間表示させる。
【０１０２】
受信制御部３２０５は、ユーザがアンケート番組を選択決定すると、受信部１
０２が受信しているトランスポートストリーム３３０１からビデオストリーム３
３０２を分離するようＴＳデコーダ部１０３のフィルタ条件記憶部１１２にその
フィルタ条件を設定する。次に、装置情報記憶部３２０２に記憶されているエン
トリナビゲーション情報を読み出し、フィルタ条件記憶部１１２にそのナビゲー
ション情報ＮＶＴ（０，０）のフィルタ条件を設定する。
【０１０３】
ナビゲーション情報記憶部３２０３にナビゲーション情報ＮＶＴ（０，０）が
記憶されると、そのグラフデータと表示情報と時間情報とを読み出すとともにス
クリプト情報（図３５参照）を読み出す。グラフデータ等を再生制御部３２０４
に通知し、併せて、合成指示と表示指示を与える。
次にユーザのリモコン１１３の操作によって、アンケートの内容を決定するた
めの情報が所定の方法で信号受信部１０７を介して通知されると、ＮＶＴ（０，
０）のスクリプト情報に従い、変数Ｘ、変数Ｙ、変数Ｚに数値を設定し、変数Ａ
１、Ａ２、Ａ３に初期値「０」を設定する。
【０１０４】
変数Ｘ、変数Ｙ、変数Ｚの値によって、ナビゲーション情報ＮＶＴ（Ｘ）、ナ
ビゲーション情報ＮＶＴ（Ｙ）、ナビゲーション情報ＮＶＴ（Ｚ）及びナビゲー
ション情報ＮＶＴ（０，１）を分離するためのフィルタ条件をフィルタ条件記憶
部１１２に設定する。
受信制御部３２０５は、ナビゲーション情報記憶部３２０３にナビゲーション
情報ＮＶＴ（０，１）、ＮＶＴ（Ｘ）、ＮＶＴ（Ｙ）、ＮＶＴ（Ｚ）が記憶され
ているときには、ナビゲーション情報ＮＶＴ（０，１）のスクリプト情報を読み
出し、スクリプト情報に従い再生制御部３２０４に、ナビゲーション情報ＮＶＴ
（０，１）、ＮＶＴ（Ｘ）、ＮＶＴ（Ｙ）、ＮＶＴ（Ｚ）のグラフデータ等を通
知し、映像データに各グラフデータをまとめて合成して表示するよう指示する。
次に、信号受信部１０７からのユーザのリモコン操作の信号を受け、入力動作の
スクリプト情報（図３５参照）に従い、変数Ａ１、Ａ２、Ａ３に所定の値を設定
する。変数Ａ１、Ａ２、Ａ３に所定の値を設定した後、時間ｔ６を経過すると、
ナビゲーション情報ＮＶＴ（０，２）を分離するようにフィルタ条件記憶部１１
２にフィルタ条件を設定する。
【０１０５】
受信制御部３２０５は、ナビゲーション情報記憶部３２０３にナビゲーション
情報ＮＶＴ（０，２）が記憶されると、再生制御部３２０４にナビゲーション情
報ＮＶＴ（０，２）のグラフデータ等を通知し、映像データに合成して表示する
ように指示する。
また、受信制御部３２０５は、装置情報記憶部３２０２に記憶されている放送
局の電話番号を読み出し、モデム３２０６、公衆回線網３２０７を介して放送局
と本装置３２０１とを接続する。次に、設定していた変数Ｘ、Ｙ、Ｚ、Ａ１、Ａ
２、Ａ３の各値を放送局に送信する。
【０１０６】
モデム３２０６は、外部の放送局（図示せず）と公衆回線網３２０７を介して
放送受信装置３２０１とを接続する。
次に、表示部１１０での具体的な映像表示について説明すると、ユーザによっ
て、アンケート番組が選択決定されたとき、時間ｔ１から時間ｔ２までは、表示
部１１０の表示画面に図３６に示すような映像が表示される。ここで、ユーザが
女性であり、２０歳以上であり、住所が関西である旨をリモコン１１３を使用し
て入力すると、時間ｔ２を経過すると時間ｔ６までの間、図３７に示すような映
像が表示部１１０に表示される。なお、背景の映像は変化している。
【０１０７】
この間にユーザはアンケートの質問にリモコン１１３の「↓」キー、「→」キ
ー、「決定」キー等を用いて答える。これによって、アンケート結果が受信制御
部３２０５によって数値に変換され、時間ｔ６経過後、モデム３２０６を介して
、放送局に送信される。
ユーザが男性であり、２０歳以上の年齢で、関東に住所を有する人であれば、
時間ｔ２から時間ｔ６までは、図３８に示すような映像が表示部１１０に表示さ
れる。
【０１０８】
次に、本実施の形態の動作を図３９に示すフローチャートを用いて説明する。
先ず、受信制御部３２０５は、アンケート番組が選択決定されると、ビデオス
トリーム３３０２を取得するようフィルタ条件記憶部１１２にフィルタ条件を設
定する（Ｓ３９０２）。
次に、エントリナビゲーション情報としてナビゲーション情報ＮＶＴ（０，０
）を取得するようフィルタ条件を同様に設定する（Ｓ３９０４）。
【０１０９】
アンケートの映像（図３６）が表示されている間に視聴者であるユーザによっ
て、ユーザの性別、年齢、住所が入力されると、受信制御部３２０５は、変数Ｘ
、Ｙ、Ｚに所定値を設定し、変数Ａ１、Ａ２、Ａ３に初期値を設定する（Ｓ３９
０６）。
時間ｔ２を経過すると、ナビゲーション情報ＮＶＴ（０，１）を取得するよう
に、フィルタ条件を設定する（Ｓ３９０８）。次にナビゲーション情報ＮＶＴ（
Ｘ）、ＮＶＴ（Ｙ）、ＮＶＴ（Ｚ）を取得するように、フィルタ条件を設定し、
各ナビゲーション情報を取得する。各ナビゲーション情報のグラフデータの合成
表示を再生制御部３２０４に指示する（Ｓ３９１０）。次に、受信制御部３２０５は、ユーザからのアンケートの回答の入力を時間ｔ６まで待ち（Ｓ３９１２）、変数Ａ１、Ａ２、Ａ３に各値を設定する（Ｓ３９１４）。
【０１１０】
次に受信制御部３２０５は、ナビゲーション情報ＮＶＴ（０，２）のフィルタ
条件を設定して取得し（Ｓ３９１６）、再生制御部３２０４にグラフデータを通
知して映像データと合成して表示させるよう指示し、併せて変数Ｘ、Ｙ、Ｚ、Ａ
１、Ａ２、Ａ３を放送局に送信して（Ｓ３９１８）、処理を終了する。
本実施の形態では、アンケート番組について説明したけれども、クイズ番組で
も同様に、回答者（ユーザ）によって問題内容を変更しようとする場合、１画面
に３問の問題を出題するときに、各問題をユーザによって２通りに変更しようと
する組合せは、２×２×２＝８通りである。この組合せを放送局側で調整すると
、ナビゲーション情報は、８つ必要となる。各問題を１問づつとして放送受信装
置３２０１で合成できるようにすると、問題は３問×２通り＝６通りとなり、放
送受信装置３２０１で必要な３問だけを分離して合成した新たなナビゲーション
情報を作成することによって、より少ないナビゲーション情報を用いて同等の内
容のサービスを行うことができる。ナビゲーション情報記憶部３２０３の記憶容
量を少ないものとできるので、放送受信装置３２０１のコストダウンを図ること
ができる。
【０１１１】
以上説明したように、本実施の形態によれば、少ないナビゲーション情報を組
み合わせることによって多数の表示パターンを合成することができる。
また、本実施の形態では、問題文を表示部１１０に表示させることとしたけれ
ども、音声出力部１１１から合成音声によって問題文を読み上げるようにしても
よい。
【０１１２】
なお、音声データは本発明の主題と異なるのでその記述を省略したけれども、
上記各実施の形態で、音声データもトランスポートストリーム中に多重化されて
おり、映像と同期して音声出力部１１１から出力される。
なお、上記実施の形態１〜実施の形態４の各ナビゲーション情報は、例えば、
図４０に示すようなナビゲーション情報表ＮＶＴ（０，２）として放送装置から
送信されてもよい。
【０１１３】
このナビゲーション情報表４００１は、実施の形態１のナビゲーション情報列
２０３のナビゲーション情報ＮＶＴ（０，２）（図２、図３参照）と同様の内容
を示している。
ナビゲーション情報表４００１は、表形式で示したオブジェクト定義表(Objec
t Definition Table)４００２とハンドラ定義表(Handler Definition Table)４
００３とビットマップ表（Bitmap Table）４００４とを含んでいる。
【０１１４】
オブジェクト定義表４００２は、表示画面に表示される例えば、ボタン（Butt
on）等のグラフィックスオブジェクトのタイプ（type）や属性等の情報をインデ
ックス番号ごとに示している。「インデックス（Index）」欄にはインデックス
番号が記載される。「タイプ」欄には、グラフィックスオブジェクトのタイプが
記載されている。「Ｘ」および「Ｙ」欄には、表示画面上での表示基準位置のＸ
，Ｙ座標値がそれぞれ記載されている。「ハンドラ（Handler）」欄には、放送
受信装置１０１でユーザによってこのインデックス番号で示されるオブジェクト
が選択された際に実行されるハンドラのインデックス番号が記載されている。「
標準ビットマップ（Normal  Bitmap）」欄には、それぞれのオブジェクトが標準
状態のときに表示されるビットマップのインデックス番号が記載されている。一
方、「フォーカスビットマップ（Focused Bitmap）」欄には、それぞれのオブジ
ェクトが選択状態のときに表示されるビットマップのインデックス番号が記載さ
れている。ここで、標準状態とは、オブジェクトが表示されているだけの状態を
いい、選択状態とは、表示されているオブジェクトが選択され得る状態をいう。
【０１１５】
例えば、オブジェクト定義表４００２のインデックス番号「０」の行では、タ
イプが「ボタン」で、左上端の表示位置の座標値がＸ＝１００，Ｙ＝２００で、
放送受信装置１０１で選択されたときにインデックス番号「３」のハンドラが実
行され、標準状態ではインデックス番号「６」、選択状態ではインデックス番号
「７」のビットマップを用いるオブジェクトを示している。インデックス番号「
１」、「２」の行も同様である。
【０１１６】
ハンドラ定義表４００３は、インデックス番号ごとにユーザ操作に対する放送
受信装置１０１のふるまいを記述するスクリプト（Script）を示している。
例えば、ハンドラ定義表４００３のインデックス番号「３」の行には、「Play
Audio("BEEEEE")」というスクリプトが記述されている。このスクリプトは、合
成音「ブー」を鳴らす指示を記述している。
【０１１７】
ビットマップ表４００４は、放送受信装置１０１で動画データの映像に重ねて
表示されるグラフデータを表すビットマップデータ（Bitmap  Data）をオブジェ
クト定義表４００２内のデータとして示されたインデックス番号ごとに示してい
る。
例えば、インデックス番号「６」では、オブジェクト定義表４００２のインデ
ックス番号「０」の「ボタン」の「標準ビットマップ」のビットマップデータを
示している。
【０１１８】
なお、実施の形態１のナビゲーション情報ＮＶＴ（０，２）（図３のスクリプ
ト情報）の入力動作部分を図４０で示すナビゲーション情報表４００１では、ハ
ンドラとして定義することで実現しているので、上記実施の形態１の変数Ｘの値
は実質上意味を持たなくなっている。
また、このナビゲーション情報には、ハイパーリンクの情報は記載されていな
いけれども、ハイパーリンクの情報があるときには、リンク先を示したハイパー
リンク表を設けてもよい。
【０１１９】
なお、上記実施の形態１〜実施の形態４の放送受信装置１０１等は、図１等に
示した構成図の受信制御部や再生制御部の機能を発揮できるようなプログラムと
して記録媒体、例えば、ＲＯＭカードに記録しておき、これらの機能を有しない
放送受信装置のカードスロットにＲＯＭカードを挿着することにより、本発明に
係る放送受信装置１０１等と同様の装置とすることができる。
【産業上の利用可能性】
【０１２０】
なお、本発明に係る放送受信装置は、動画データと複数のナビゲーション情報とを多重化したトランスポートストリームから必要なナビゲーション情報だけを分離して映像データに合成して表示できる放送受信装置として有用であり、特にユーザに応じてユーザインタフェースを提供できる実用的効果は大である。              
【図面の簡単な説明】
【０１２１】
【図１】本発明に係る放送受信装置の実施の形態１の構成図である。
【図２】上記実施の形態の受信部で受信されるトランスポートストリームの内容例を示す図である。
【図３】上記実施の形態のナビゲーション情報中のスクリプト情報の内容を示す図である。
【図４】上記実施の形態のトランスポートストリームを模式的に示す図である。
【図５】上記実施の形態で用いられる外部操作部材のリモコンを示す図である。
【図６】上記実施の形態の装置情報記憶部に記憶されている内容を示す図である。
【図７】上記実施の形態の表示部に表示される映像の一例を示す図である。
【図８】上記実施の形態の表示部に表示される映像の一例を示す図である。
【図９】上記実施の形態の表示部に表示される映像の一例を示す図である。
【図１０】上記実施の形態の表示部に表示される映像の一例を示す図である。
【図１１】上記実施の形態の表示部に表示される映像の一例を示す図である。
【図１２】上記実施の形態の動作を説明するフローチャートである。
【図１３】本発明に係る放送受信装置の実施の形態２の構成図である。
【図１４】上記実施の形態の受信部で受信されるトランスポートストリームの内容例を示す図である。
【図１５】上記実施の形態のナビゲーション情報中のスクリプト情報の内容を示す図である。
【図１６】上記実施の形態のトランスポートストリームを模式的に示す図である。
【図１７】上記実施の形態の装置情報記憶部に記憶されている内容を示す図である。
【図１８】上記実施の形態の表示部に表示される映像の一例を示す図である。
【図１９】上記実施の形態の表示部に表示される映像の一例を示す図である。
【図２０】上記実施の形態の表示部に表示される映像の一例を示す図である。
【図２１】上記実施の形態の表示部に表示される映像の一例を示す図である。
【図２２】上記実施の形態の表示部に表示される映像の一例を示す図である。
【図２３】上記実施の形態の動作を説明するフローチャートである。
【図２４】本発明に係る放送受信装置の実施の形態３の構成図である。
【図２５】上記実施の形態の受信部で受信されるトランスポートストリームの内容例を示す図である。
【図２６】上記実施の形態のナビゲーション情報中のスクリプト情報の内容を示す図である。
【図２７】上記実施の形態の装置情報記憶部に記憶されている内容を示す図である。
【図２８】上記実施の形態の表示部に表示される映像の一例を示す図である。
【図２９】上記実施の形態の表示部に表示される映像の一例を示す図である。
【図３０】上記実施の形態の表示部に表示される映像の一例を示す図である。
【図３１】上記実施の形態の動作を説明するフローチャートである。
【図３２】本発明に係る放送受信装置の実施の形態４の構成図である。
【図３３】上記実施の形態の受信部で受信されるトランスポートストリームの内容例を示す図である。
【図３４】図３３のナビゲーション情報中のグラフデータの内容を示す図である。
【図３５】図３３のナビゲーション情報中のスクリプト情報を示す図である。
【図３６】上記実施の形態の表示部に表示される映像の一例を示す図である。
【図３７】上記実施の形態の表示部に表示される映像の一例を示す図である。
【図３８】上記実施の形態の表示部に表示される映像の一例を示す図である。
【図３９】上記実施の形態の動作を説明するフローチャートである。
【図４０】実施の形態１のナビゲーション情報ＮＶＴ（０，２）と同様の内容を表わすナビゲーション情報表ＮＶＴ（０，２）を示す図である。
【符号の説明】
【０１２２】
１０１、１３０１、２４０１、３２０１    放送受信装置
１０２                                  受信部
１０３                                  ＴＳデコーダ部
１０４                                  ＡＶデコーダ部
１０５、１３０２、２４０２、３２０２    装置情報記憶部
１０６、３２０３                        ナビゲーション情報記憶部
１０７                                  信号受信部
１０８、１３０４、２４０４、３２０５    受信制御部
１０９、１３０３、３２０４              再生制御部          
１１０、１３０５                        表示部
１１１                                  音声出力部
１１２                                  フィルタ条件記憶部
１１３                                  大人用リモコン
１１４                                  子供用リモコン
２４０３、３２０６                      モデム
３２０７                                公衆回線網
【図１】
2007129768.tif 000003
【図２】
2007129768.tif 000004
【図３】
2007129768.tif 000005
【図４】
2007129768.tif 000006
【図５】
2007129768.tif 000007
【図６】
2007129768.tif 000008
【図７】
2007129768.tif 000009
【図８】
2007129768.tif 000010
【図９】
2007129768.tif 000011
【図１０】
2007129768.tif 000012
【図１１】
2007129768.tif 000013
【図１２】
2007129768.tif 000014
【図１３】
2007129768.tif 000015
【図１４】
2007129768.tif 000016
【図１５】
2007129768.tif 000017
【図１６】
2007129768.tif 000018
【図１７】
2007129768.tif 000019
【図１８】
2007129768.tif 000020
【図１９】
2007129768.tif 000021
【図２０】
2007129768.tif 000022
【図２１】
2007129768.tif 000023
【図２２】
2007129768.tif 000024
【図２３】
2007129768.tif 000025
【図２４】
2007129768.tif 000026
【図２５】
2007129768.tif 000027
【図２６】
2007129768.tif 000028
【図２７】
2007129768.tif 000029
【図２８】
2007129768.tif 000030
【図２９】
2007129768.tif 000031
【図３０】
2007129768.tif 000032
【図３１】
2007129768.tif 000033
【図３２】
2007129768.tif 000034
【図３３】
2007129768.tif 000035
【図３４】
2007129768.tif 000036
【図３５】
2007129768.tif 000037
【図３６】
2007129768.tif 000038
【図３７】
2007129768.tif 000039
【図３８】
2007129768.tif 000040
【図３９】
2007129768.tif 000041
【図４０】
2007129768.tif 000042